(57)【要約】【課題】少なくとも２つの格納装置の相互積み重ね操作プロセスを含む、格納装置積み重ねシステムの実行方法を提供する。【解決手段】メイン格納装置を外部の交流電気に接続するステップと、メイン格納装置によって、外部の交流電気を取り込み、直流電気に変換し、メイン格納装置内部の部品を電気導通させると同時に、メイン格納装置を外部のネットワークに接続するステップと、メイン格納装置を電気接続し、外部の交流電気を輔助格納装置に伝送するステップと、輔助格納装置によって、取り込まれた外部の交流電気を直流電気に変換するとともに、係る輔助格納装置内部の部品を電気導通させ、メイン格納装置と輔助格納装置とデーター通信接続するステップと、を含む。【選択図】図１
2016207212.tif 000002
【特許請求の範囲】
【請求項１】
少なくとも２つの格納装置の相互積み重ね操作プロセスを含む、格納装置積み重ねシステムの実行方法であって、
メイン格納装置の電気入力インターフェイスを外部の交流電気（４０１）に接続するステップ１と、
前記メイン格納装置の電気管理モジュールの電圧変換単元によって、前記電気入力インターフェイスが外部の交流電気を取り込み、直流電気に変換し、前記メイン格納装置内部の部品を電気導通させ、前記メイン格納装置のデーターインターフェイスを外部のネットワーク（４０２）に接続するステップ２と、
前記メイン格納装置の電気出力インターフェイスを電気接続し、外部の交流電気輔助格納装置の電気取り込みインターフェイス（４０３）に伝送するステップ３と、
前記輔助格納装置の輔助電気管理モジュールの輔助電圧変換単元によって、電気取り込みインターフェイスが外部の交流電気を取り込み、直流電気に変換し、前記輔助格納装置内部の部品を電気導通させ、前記メイン格納装置のメインデーターブリッジインターフェイスを前記輔助格納装置の輔助データーブリッジインターフェイス（４０４）と電気接続するステップ４と、
を有することを特徴とする、格納装置積み重ねシステムの実行方法。
【請求項２】
前記ステップ４の後に、前記メイン格納装置のデーター管理モジュールによって、前記メイン格納装置のメイン格納モジュールと、輔助格納モジュール（４０５１）を管理することを特徴とする、請求項１記載の格納装置積み重ねシステムの実行方法。
【請求項３】
前記輔助格納装置の輔助データーリンクインターフェイスを外部ネットワーク（４０５２）に接続することを特徴とする、請求項１記載の格納装置積み重ねシステムの実行方法。
【請求項４】
前記データーリンクインターフェイスは、有線ネットワークまたは無線ネットワークのいずれかの一つまたはそれら組み合わせて実施することができることを特徴とする、請求項１記載の格納装置積み重ねシステムの実行方法。
【請求項５】
前記ステップ４の後に、前記輔助格納装置のエクステンション電気出力インターフェイスが外部の交流電気を第２輔助格納装置の電気導入インターフェイスに（４０５）接続することを特徴とする、請求項２記載の格納装置積み重ねシステムの実行方法。
【請求項６】
前記ステップ４の後に、前記輔助格納装置の輔助データー管理モジュールがデーター管理モジュールのデーター処理をサポートする（４０５３）ことを特徴とする、請求項２記載の格納装置積み重ねシステムの実行方法。
【請求項７】
前記ステップ４の後に、前記メイン格納装置のデーター管理モジュールが前記データーリンクインターフェイスと、前記輔助データーリンクインターフェイスを管理する（４０５４）ことを特徴とする、請求項３記載の格納装置積み重ねシステムの実行方法。
【請求項８】
前記ステップ４の後に、第２輔助格納装置の輔助電気管理モジュールが前記電圧変換単元をサポートし、前記電気導入インターフェイスから取り込まれた交流電気を直流電気に変換するとともに、前記第２輔助格納装置内部の部品を電気導通させ、前記輔助格納装置の前記エクステンションデーターブリッジインターフェイスを前記第２輔助格納装置の前記輔助データーブリッジインターフェイスに電気接続する（４０６）ことを特徴とする、請求項５記載の格納装置積み重ねシステムの実行方法。
【請求項９】
前記ステップ４の後に、前記データー管理モジュールによって、前記第２輔助格納装置の前記輔助格納モジュール（４０７）を管理することを特徴とする、請求項８記載の格納装置積み重ねシステムの実行方法。
【発明の詳細な説明】
【技術分野】
【０００１】
本発明は格納装置の組み合わせ方法に関し、特に電源とデーターの管理方法に関する。係る方法は、メイン格納装置による付属格納装置の拡張を電気的に直列接続してデーターを相互に伝送し、特にメイン格納装置にてすべての電気とデーターを一元化に管理して置く。
【背景技術】
【０００２】
パーソナルクラウドを家庭用ネットワークに使用されることがますます普及する一方、家庭の格納装置も集中管理の傾向がある。さらに、家庭用ネットワークを独立したネットワークの格納装置に接続して、データーの集中管理及びバックアップ機能を提供する。しかし、追加されたネットワークの格納装置を集中管理することは、かなりの困難があり、使用者はネットワーク格納装置を取り外して、拡張の格納装置を取り付けなければならない。
【０００３】
格納システムについて、以下にいくつかの特許文献を取り挙げる。
【０００４】
中華民国実用新案特許ＴＷ  Ｉ４３１４７３号（特許文献１）は、ネットワークに接続する格納装置の格納拡張単元のシステム及び方法であって、係る考案において、少なくとも一部の実施例は拡張システムである。筐体と、通信ポート（係る通信ポートは格納装置の長期操作適した通信協定によって操作される）と、筐体に内蔵していて、かつ通信ポートに接続するポート拡張回路（係るポート拡張回路は複数の通信協定に基づいて操作する輔助ポートである）と、を備え。格納拡張システムは信ポートを介して、ネットワーク接続の格納装置に接続され、かつ格納拡張システムは係るに接続する格納装置の長期格納効果を向上できるように配置されている。
【０００５】
中華民国実用新案特許ＴＷ  Ｉ２８６６９０号（特許文献２）は、ポートマルチプライヤの外付け格納装置の拡張構造であって、ホストと、インターフェイスコントローラと、ポートマルチプライヤと、少なくとも一つのパラレルデーター伝送モードを有する外付け格納装置と、を備え、複数のシリアルデーター伝送ポートを有するインターフェイスコントローラをホストに電気接続し、前記ポートマルチプライヤを前記インターフェイスコントローラと信号接続し、前記ポートマルチプライヤは複数の拡張接続ポートを有し、かつ、いずれかの拡張接続ポートもパラレルデーターをシリアルデーターに変換することができ、少なくとも一つのパラレルデーター伝送モードの外付け格納装置を前記ポートマルチプライヤのいずれか一つの拡張接続ポートと信号接続して、前記インターフェイスコントローラとデーター伝送を実行する。
【０００６】
中華民国実用新案特許ＴＷ  Ｉ２７４３５３号（特許文献３）は、積み重ね形携帯格納装置であって、第１ポータブルドライブと、少なくとも一つの第２ポータブルドライブと、一つの挿抜自在モジュールと、を備える。前記第１と前記第２ポータブルドライブは、挿抜自在モジュールを介して、互いに積み重ねていて、挿抜自在モジュールは、オスコネクタと、メスコネクタとを組み合わせてなる。特に、第２ポータブルドライブを容量拡張のポータブルドライブにするときは、切り替え単元によって、第１ポータブルドライブの制御単元に接続させ、制御単元によって機能化させる。よって、第２ポータブルドライブの記憶装置の容量を第１ポータブルドライブに加えて、容量を大きくして、より多いデーターのアクセスに便利させる。
【０００７】
中華民国実用新案特許ＴＷ  Ｉ２６３８７８号（特許文献４）は、データー格納装置に関し、特に柔軟性を有する直列接続機能のデーター格納装置に関する。主にモード検知装置を有し、出力コネクタと接続する外部装置がホストシステムのメインモードが既定回線であるかを検出することによって、モード切替装置を制御し、メインモードまたは従属モードを選択し、データー読み書きコントローラが常時に外付けの拡張コネクタが他の外部データー格納装置と直列接続しているかを検出し、接続している場合は、ただちに出力コネクタよりホストシステムに連絡される。ホストシステムは新規追加の外部データー格納装置に対応して、すべての直列接続データー格納装置の内部にある格納媒体を互いに整合する容量合計モード、または直列接続の外部データー格納装置を外付けデーター格納装置の追加裝置モードを見なす。これにより、すべての内部の格納媒体の記憶容量を整合できるほか、使用効果を柔軟に拡大することができる。
【先行技術文献】
【特許文献】
【０００８】
【特許文献１】中華民国実用新案特許ＴＷ  Ｉ４３１４７３号
【特許文献２】中華民国実用新案特許ＴＷ  Ｉ２８６６９０号
【特許文献３】中華民国実用新案特許ＴＷ  Ｉ２７４３５３号
【特許文献４】中華民国実用新案特許ＴＷ  Ｉ２６３８７８号
【発明の概要】
【発明が解決しようとする課題】
【０００９】
しかしながら、多くのソリューションは企業環境向けであり、単純、しかも高速に個人環境での使用は提供されていない。加えて、構築コストと専業知識の要求もかなりのハードルがある。さらに、多様化機能についても、選択はあまり多くない。
【課題を解決するための手段】
【００１０】
前記課題を解決するため、本発明の主な目的は、格納装置積み重ねシステムの実行方法を提供し、前述課題の解決を図る。
【００１１】
前述課題のために、本発明より提供する格納装置積み重ねシステムの実行方法は、主にメイン格納装置によって、電気を直列接続し、データーリンク及び集中管理し、もう一つの輔助格納装置を増設することによって、メイン格納装置の格納スペースを拡張する。
【００１２】
よって、本発明の主な目的は、格納装置積み重ねシステムの実行方法を提供し、電気／データーを一元化に管理して置き、格納スペースを簡単に追加できる効果を有する。
【００１３】
本発明のもう一つの目的は、格納装置積み重ねシステムの実行方法を提供し、本発明によれば、格納容量装置の拡張容量制限を軽減できる。
【００１４】
本発明のさらに一つの目的は、格納装置積み重ねシステムの実行方法を提供し、それぞれに内蔵する電圧変換単元を介して、外部の交流電気を直流電気に変換し、メイン格納装置の初期購入コストを軽減できる。
【００１５】
本発明のさらに一つの目的は、格納装置積み重ねシステムの実行方法を提供し、データーブリッジ手段を利用し、格納スペースを追加できるほかに、付加機能も追加できる。
【００１６】
本発明のさらに一つの目的は、格納装置積み重ねシステムの実行方法を提供し、既存装置の拡張により、利用性を向上し、古い装置の淘汰を有効に軽減できる。
【００１７】
前述目的を達成するため、本発明の主な手段は、以下の技術手段によって実現される。本発明の格納装置積み重ねシステムの実行方法は、少なくとも２つの格納装置の相互積み重ね操作プロセスは、メイン格納装置を外部の交流電気に接続するステップ１と、メイン格納装置の電気管理モジュールの電圧変換単元によって、電気入力インターフェイスが取り込まれた外部の交流電気を直流電気に変換し、メイン格納装置内部の部品を電気導通させると同時に、メイン格納装置を外部のネットワークに接続するステップ２と、メイン格納装置の電気出力インターフェイスを電気接続し、外部の交流電気を輔助格納装置の電気導入インターフェイスに伝送するステップ３と、輔助格納装置の電気管理モジュールの電圧変換単元は、電気導入インターフェイスによって取り込まれた外部の交流電気を直流電気に変換するとともに、係る輔助格納装置内部の部品を電気導通させ、係るメイン格納装置のメインデーターブリッジインターフェイスを輔助格納装置の輔助データーブリッジインターフェイスと電気接続するステップ４と、を備える。
【００１８】
本発明の目的と技術解決はさらに以下の手段によってさらに実現することができる。
【００１９】
前述の格納装置積み重ねシステムの実行方法のうち、ステップ４の後に、メイン格納装置のデーター管理モジュールによって、係るメイン格納装置のメイン格納モジュールと、輔助格納モジュールを管理される。
【００２０】
前述の格納装置積み重ねシステムの実行方法のうち、ステップ４の後に、輔助格納装置の輔助データーリンクインターフェイスを外部ネットワークに接続する。
【００２１】
前述の格納装置積み重ねシステムの実行方法のうち、係るデーターリンクインターフェイスは、有線ネットワークまたは無線ネットワークのいずれかの一つまたはそれらを組み合わせて実施することができる。
【００２２】
前述の格納装置積み重ねシステムの実行方法のうち、ステップ４の後に、輔助格納装置のエクステンション電気出力インターフェイスが外部の交流電気を第２輔助格納装置の電気導入インターフェイスに接続する。
【００２３】
前述の格納装置積み重ねシステムの実行方法のうち、ステップ４の後に、輔助格納装置の輔助データー管理モジュールがデーター管理モジュールのデーター処理をサポートする。
【００２４】
前述の格納装置積み重ねシステムの実行方法のうち、ステップ４の後に、メイン格納装置のデーター管理モジュールがデーターリンクインターフェイスと、輔助データーリンクインターフェイスを管理する。
【００２５】
前述の格納装置積み重ねシステムの実行方法のうち、ステップ４の後に、第２輔助格納装置の輔助電気管理モジュールが電圧変換単元をサポートし、電気導入インターフェイスから取り込まれた交流電気を直流電気に変換するとともに、第２輔助格納装置内部の部品を電気導通させ、輔助格納装置のエクステンションデーターブリッジインターフェイスを第２輔助格納装置の輔助データーブリッジインターフェイスに電気接続する。
【００２６】
前述の格納装置積み重ねシステムの実行方法のうち、ステップ４の後に、データー管理モジュールによって、第２輔助格納装置の輔助格納装置を管理する。
【発明の効果】
【００２７】
公知技術に比べて、本発明は、（１）格納容量を簡単、かつ高速に追加する機能、（２）電圧変換単元を独立させることによって、拡張の制限及び高い初期構築コストを軽減できる、（３）データーブリッジによって、装置の機能付加に無限な可能性を与えられる効果を有する。
【図面の簡単な説明】
【００２８】
【図１】本発明の最良の実施形態のシステム第１フロー図である。
【図２】本発明の最良の実施形態のシステム第２フロー図である。
【図３】本発明の最良の実施形態のシステム第３フロー図である。
【図４】本発明の最良の実施形態のシステム第１態様図である。
【図５】本発明の最良の実施形態のシステム第２態様図である。
【発明を実施するための形態】
【００２９】
本発明の目的、特徴及び機能をより明らかに、分かりやすくするため、以下に本発明の最良の実施形態を取り挙げて、詳しく説明する。
【実施例】
【００３０】
図１ないし５、本発明の格納装置積み重ねシステムの実行方法の主な実施形態を参照する。まず、図１本発明の第１実施態様を参照する。主なフローは、ステップ１（４０１）と、ステップ２（４０２）と、ステップ３（４０３）と、ステップ４（４０４）と、を含む。これに合わせたシステム態様図は図４、を参照する。システムは、メイン格納装置（１０）と、輔助格納装置（２０）と、を有する。
【００３１】
引き続き、図１と図４を参照する。ステップ１（４０１）は、メイン格納装置（１０）の電気入力インターフェイス（１１）を外部の交流電気に接続し、続いて、ステップ２（４０２）は、メイン格納装置（１０）の電気管理モジュール（１３）の電圧変換単元（１３１）によって、電気入力インターフェイス（１１）が取り込まれた外部の交流電気を直流電気に変換し、メイン格納装置（１０）内部の部品を電気導通させると同時に、メイン格納装置（１０）のデーターリンクインターフェイス（１４）を外部のネットワークに接続する、ステップ３は、メイン格納装置（１０）の電気出力インターフェイス（１２）を電気接続し、外部の交流電気を輔助格納装置（２０）の電気導入インターフェイス（２１）に伝送する、ステップ４は、輔助格納装置（２０）の電気管理モジュール（２５）の輔助電圧変換単元（２５１）は、電気導入インターフェイス（２１）によって取り込まれた外部の交流電気を直流電気に変換するとともに、係る輔助格納装置（２０）内部の部品を電気導通させ、係るメイン格納装置（１０）のメインデーターブリッジインターフェイス（１５）を輔助格納装置（２０）の輔助データーブリッジインターフェイス（２２）と電気接続する。
【００３２】
具体的を言うと、係るメイン格納装置（１０）は、電気入力インターフェイス（１１）と、電気出力インターフェイス（１２）と、電気管理モジュール（１３）と、データーリンクインターフェイス（１４）と、メインデーターブリッジインターフェイス（１５）と、データー管理モジュール（１６）と、メイン格納モジュール（１７）とを含む、第１基板（１８）によって、載置及び相互に電気接続し、係る電気管理モジュール（１３）は電圧変換単元（１３１）を有する。
【００３３】
そのうち、係る電気入力インターフェイス（１１）は外部の交流電気（Ａｌｔｅｒｎａｔｉｎｇ  Ｃｕｒｒｅｎｔ，ＡＣ）に接続していて、メイン格納装置（１０）に必要な電源を取り込むインターフェイスであり、一方、電気出力インターフェイス（１２）は、係る電気入力インターフェイス（１１）より外部の交流電気（Ａｌｔｅｒｎａｔｉｎｇ  Ｃｕｒｒｅｎｔ，ＡＣ）を取次伝送するインターフェイスである。係る電気管理モジュール（１３）の主な機能は、係る電気入力インターフェイス（１１）によって取り込まれた外部の交流電気（Ａｌｔｅｒｎａｔｉｎｇ  Ｃｕｒｒｅｎｔ，ＡＣ）のパワーを安全に使用させることと、データーリンクインターフェイス（１４）と、メインデーターブリッジインターフェイス（１５）と、データー管理モジュール（１６）と、メイン格納モジュール（１７）と、第１基板（１８）の稼働に必要な電源及び省エネ機能を提供される。引き続き、係るデーターリンクインターフェイス（１４）は、外部ネットワークに接続するインターフェイスを指す、係るネットワークは有線ネットワークまたは無線ネットワークであり、これによって、係るメイン格納装置（１０）と外部とを関連付けして、外部から関連リソースを利用できるようにする。係るメインデーターブリッジインターフェイス（１５）は、主に輔助格納装置（２０）と電気接続して、データー伝送のほかに、取次接続後の関連リソースを管理する。
係るデーター管理モジュール（１６）は、複雑なコンピュータープロセスを実行するマイクロプロセッサー（Ｍｉｃｒｏｐｒｏｃｅｓｓｏｒ，ｕＰ）を指す。
引き続き、メイン格納モジュール（１７）は、情報を格納する装置であり、一般として、情報をデジタル化した後に、電気、磁気または光学等の媒体に格納される。通常は、電気エネルギー方式により情報を格納する装置または電磁エネルギー方式により情報を格納する装置である。
最後に、係る第１基板（１８）は、一般として、回路基板（ｃｉｒｃｕｉｔ  ｂｏａｒｄ）であり、一例として、係る基板は一層または多層回路を有するプリント基板である。このほかに、必要に応じて、係る基板はリードフレーム、フィルム回路（Ｆｉｌｍ  ｃｉｒｃｕｉｔ）、ＢＴ電気回路板または各種のチップキャリアであっても良い。
【００３４】
実際で言うと、係る輔助格納装置（２０）は、電気導入インターフェイス（２１）と、輔助データーブリッジインターフェイス（２２）と、輔助格納モジュール（２３）とを含む、第２基板（２４）によって、載置及び相互に電気接続し、係る電気管理モジュール（２５）は電圧変換単元（２５１）を有する。
【００３５】
そのうち、係る電気導入インターフェイス（２１）を外部の交流電気（Ａｌｔｅｒｎａｔｉｎｇ  Ｃｕｒｒｅｎｔ，ＡＣ）と電気接続し、輔助格納装置（２０）に必要な電源を取り込むインターフェイスであり、ここでは、係る電気導入インターフェイス（２１）は、主に電気接続して、係るメイン格納装置（１０）の電気出力インターフェイス（１２）から取次伝送された外部の交流電気（Ａｌｔｅｒｎａｔｉｎｇ  Ｃｕｒｒｅｎｔ，ＡＣ）を取り込むインターフェイスである。
係る補助デーダーブリッジインターフェイス（２２）は、メインデーターブリッジインターフェイス（１５）に電気接続して、係るメイン格納装置（１０）のデーター管理モジュール（１６）のデーター伝送のほかに、取次接続された係る輔助格納装置（２０）のリソースを管理する。
係る輔助格納モジュール（２３）は、情報を格納する装置であり、一般としては、情報をデジタル化した後に、電気、磁気または光学等の方式の媒体に格納される。通常は、電気エネルギー方式によって情報を格納する装置または電磁エネルギー方式によって情報を格納する装置である。
最後に、係る第２基板（２４）は、一般としては回路基板（ｃｉｒｃｕｉｔ  ｂｏａｒｄ）、一例として、係る基板は一層または多層回路を有するプリント基板である。
このほかに、必要に応じて、係る基板はリードフレーム、フィルム回路（Ｆｉｌｍ  ｃｉｒｃｕｉｔ）、ＢＴ電気回路板または各種のチップキャリアであっても良い。
係る電圧変換単元（１３１）と、輔助電圧変換単元（２５１）の主な機能は、交流電気（Ａｌｔｅｒｎａｔｉｎｇ  Ｃｕｒｒｅｎｔ，ＡＣ）を直流電気（Ｄｉｒｅｃｔ  Ｃｕｒｒｅｎｔ，ＤＣ）に変換する。そもそも屋内電気の多くは交流電気であるため、これを一般の電子部品の稼働に必要な電圧と電流に変換して提供して操作に便利する。
【００３６】
引き続き図２、本発明の第２実施形態を参照する。第１実施形態及び図１と図４に説明した特徴が図２と同じ部分は、図２に符号の表示が省略されている。以下は同様扱いとする。第２実施形態と第１実施形態の主な相違点は、この実施形態において、ステップ４（４０４）の後に、ステップ５−１（４０５１）、ステップ５−２（４０５２）、ステップ５−３（４０５３）、ステップ５−４（４０５４）が追加され、主にメイン格納装置（１０）によって、すべての格納スペースと、ネットワークリソースが管理されることを浮き彫りする。
【００３７】
詳しく言えば、格納装置積み重ねシステムが第１実施形態を達成した後、図２と図４に示すように、メイン格納装置（１０）がネットワーク接続と、格納スペースとを含み、輔助格納装置（２０）がネットワーク接続と、格納空間を含む状態において、ステップ５−１（４０５１）において、輔助格納装置（２０）の格納空間を管理し、ステップ５−２（４０５２）において、輔助格納装置（２０）を外部のネットワークに接続し、ステップ５−３（４０５３）において、データー処理をサポートする。
そのうち、ステップ５−１（４０５１）はメイン格納装置（１０）のデーター管理モジュール管理（１６）メイン格納装置（１０）のメイン格納モジュール（１７）及輔助格納装置（２０）の輔助格納モジュール（２３）；そのうち、ステップ５−２（４０５２）は、輔助格納装置（２０）の輔助データーインターフェイス（２８）が外部のネットワークに接続されている。そのうち、ステップ５−３（４０５３）は、輔助格納装置（２０）の一輔助データー管理モジュール（３１）がデーター管理モジュール（１６）のデーター処理をサポートする。そのうち、ステップ５−４（４０５４）は、メイン格納装置（１０）の一データー管理モジュール（１６）がデーターインターフェイス（１４）と、輔助データーインターフェイス（２８）を管理する。
【００３８】
引き続き図２、本発明の第３実施形態を参照する。第２実施形態及び図２と図４に説明した特徴が図３と図５と同じ部分は、図３と図５に符号の表示が省略されている。以下は同様扱いとする。第３実施形態と第２実施形態の主な相違点は、この実施形態において、ステップ５−４（４０５４）の後に、ステップ５（４０５）、ステップ６（４０６）、ステップ７（４０７）が追加され、主にメイン格納装置（１０）によって、輔助格納装置（２０）と直列接続した後に、第１補助格納装置（２０’）と直列接続した実施態様である。
【００３９】
この実施形態において、格納装置積み重ねシステムが第２実施形態を達成した後、図３と図５に示すように、輔助格納装置（２０）の後に新たに第２輔助格納装置（２０’）と直列接続した態様で、ステップ５（４０５）において、第２輔助格納装置（２０’）に電源を投入して、ステップ６（４０６）において、第２輔助格納装置（２０’）の部品と、データーインターフェイスと、第２輔助格納装置とを互いに導通させ、ステップ７（４０７）において、第２輔助格納装置をメイン格納装置（１０）に格納空間を一元に管理させる。ステップ５（４０５）において、輔助格納装置（２０）のエクステンション電気出力インターフェイス（２７）が電気接続によって、外部の交流電気を第２輔助格納装置（２０’）の電気取り込みインターフェイス（２１’）に伝送させる。
ステップ６（４０６）において、第２輔助格納装置（２０’）の輔助電気管理モジュールの輔助電圧変換単元によって、電気取り込みインターフェイスが外部の交流電気を取り込み、直流電気に変換すると同時に、第２輔助格納装置（２０’）内部の部品を電気導通させ、輔助格納装置（２０）のエクステンションデーターブリッジインターフェイス（２６）を第２輔助格納装置（２０’）の輔助データーブリッジインターフェイス（２２’）に電気接続する。ステップ７（４０７）において、データー管理モジュール（１６）によって、第２輔助格納装置（２０’）の輔助格納モジュールを管理する。
【００４０】
本発明の効果は、従来のサーバー形格納装置とは異なり、この種の格納装置は曾てにない発想であり、発明特許の要件を満足しているため、よって、法により特許を登録する。
【００４１】
以上に説明したものは、本発明の最良の実施形態であり、本発明の明細書、特許請求の範囲または図面に基づいた等効果の変化は、なお本発明の技術範疇に属し、なお、本発明の保護範疇は添付の特許請求の範囲による。
【符号の説明】
【００４２】
１０ メイン格納装置
１１ 電気入力インターフェイス
１２ 電気出力インターフェイス
１３ 電気管理モジュール
１３１ 電圧変換単元
１４ データーリンクインターフェイス
１５ メインデーターブリッジインターフェイス
１６ データー管理モジュール
１７ メイン格納モジュール
１８ 第１基板
２０ 輔助格納装置
２０’ 第２輔助格納装置
２１ 電気導入インターフェイス
２１’ 電気導入インターフェイス
２２ 輔助データーブリッジインターフェイス
２２’ 輔助データーブリッジインターフェイス
２３ 輔助格納モジュール
２４ 第２基板
２５ 輔助電気管理モジュール
２５１ 輔助電圧変換単元
２６ エクステンションデーターリンクインターフェイス
２７ エクステンション電気出力インターフェイス
２８ 輔助データーリンクインターフェイス
３１ 輔助データー管理モジュール
４０１ ステップ１
４０２ ステップ２
４０３ ステップ３
４０４ ステップ４
４０５ ステップ５
４０６ ステップ６
４０７ ステップ７
４０５１ ステップ５−１
４０５２ ステップ５−２
４０５３ ステップ５−３
４０５４ ステップ５−４
【図１】
2016207212.tif 000003
【図２】
2016207212.tif 000004
【図３】
2016207212.tif 000005
【図４】
2016207212.tif 000006
【図５】
2016207212.tif 000007